(57)【要約】      （修正有）【課題】よりセキュリティー性の高い収納体の施錠構造を提供する。【解決手段】収納体としてのポーチ１０の開口部１１に設けられた開閉手段としてのスライドファスナー１２と、このスライドファスナー１２を固定しうる錠１３，１４と、錠１３，１４を施錠・解錠可能なキー１９，２０とから主に構成されている。このスライドファスナー１２は、単一のスライダー１６を有するものである。このスライダー１６は、第一の引手１７と第二の引手１８の２つが設けられている。第一の引手１７には、円形状の孔が設けられ、第二の引手１８にも、孔が設けられている。錠１３，１４には、各々挿入穴１３ａ，１４ａが設けられ、挿入穴１３ａ，１４ａの内部に突出部を有し、突出部が、第一の引手１７の孔、第二の引手１８の孔、に挿入されることで施錠状態となり、外れることで解錠状態となる。【選択図】図１
0003210946.tif 000002
【実用新案登録請求の範囲】
【請求項１】
収納体の開口部に設けられた開閉手段と、前記開閉手段を固定しうる錠と、前記錠を施錠・解錠可能なキーとから成る収納体の施錠構造であって、
前記キーとして、複数の異なる種類のものを備え、
前記キーが全て用いられることにより、前記錠が施錠・解錠状態とされることを特徴とする収納体の施錠構造。
【請求項２】
前記開閉手段は、単一のスライダーを有するスライドファスナーであり、前記スライドファスナーの閉塞側端部に複数の前記錠が設けられ、前記スライドファスナーの前記スライダーに設けられた引手を固定するように構成されていることを特徴とする請求項１記載の収納体の施錠構造。
【請求項３】
前記スライドファスナーの前記スライダーには、前記引手として、第一の引手と第二の引手が設けられており、前記収納体の前記スライドファスナーの閉塞側端部において、前記スライドファスナーの長さ方向に沿って前記スライドファスナーに対向する部位と前記スライドファスナーの側方の部位とに、前記キーに対応する前記錠がそれぞれ設けられていることを特徴とする請求項２記載の収納体の施錠構造。
【請求項４】
前記スライダーの前記引手には孔が設けられており、前記錠は、その突出部が、前記引手の前記孔に挿入されることで、施錠状態となり、前記突出部が前記引手の前記孔から外されることで、解錠状態となるように構成されていることを特徴とする請求項２記載の収納体の施錠構造。
【請求項５】
請求項１記載の収納体の施錠構造を備えていることを特徴とする収納体。
【請求項６】
前記収納体が、防刃性素材で形成されていることを特徴とする請求項５記載の収納体。
【請求項７】
前記収納体が、防炎性素材で形成されていることを特徴とする請求項５記載の収納体。
【考案の詳細な説明】
【技術分野】
【０００１】
本考案は、カバン、ポーチ、バック、スーツケースなどの収納体の施錠構造及びこの施錠構造を備えた収納体に関するものである。
【背景技術】
【０００２】
従来から、通帳や印鑑などの貴重品を保管するために、カバン、ポーチ、バック、スーツケースなどの収納体（以下、単に収納体という場合がある。）の開口部をスライドファスナーやホックなどの開閉手段で閉めるだけでなく、錠前で施錠して、セキュリティーを高めることがなされている。
【０００３】
例えば、特許文献１には、収納体の開口部を開閉手段としてのスライドファスナーで閉め、更に錠前で施錠する構成が開示されている。
また、特許文献２には、収納体の開口部の開閉手段としての蓋に錠前が２つ設けられた構成が開示されている。
【０００４】
しかしながら、特許文献１，２に開示されたものをはじめ、従来の技術にあっては、錠前の錠を１種類のキーのみで解錠することができるので、近年、キーを管理する立場の成人後見人である弁護士が、被成人後見人である認知症の高齢者の資産を着服する事件などが多発していることを鑑みると、セキュリティー面で充分とは言えないという問題があった。
【先行技術文献】
【特許文献】
【０００５】
【特許文献１】特開２００２−３３２７６８号公報
【特許文献２】特開２００３−１７２０５７号公報
【考案の概要】
【考案が解決しようとする課題】
【０００６】
本考案は、以上のような従来の問題を解消するためのものであって、その課題は、よりセキュリティー性の高い収納体の施錠構造及びこの施錠構造を備えた収納体を提供することにある。
【課題を解決するための手段】
【０００７】
前記課題を解決するために、請求項１記載の考案にあっては、収納体の開口部に設けられた開閉手段と、前記開閉手段を固定しうる錠と、前記錠を施錠・解錠可能なキーとから成る収納体の施錠構造であって、前記キーとして、複数の異なる種類のものを備え、前記キーが全て用いられることにより、前記錠が施錠・解錠状態とされることを特徴とする。
従って、異なる種類の前記キーの全てを用いることで、前記錠を完全な施錠状態にすることができるとともに、異なる種類の前記キーの全てが揃って、はじめて前記錠を完全な解錠状態とすることができる。
【０００８】
請求項２記載の考案にあっては、前記開閉手段は、単一のスライダーを有するスライドファスナーであり、前記スライドファスナーの閉塞側端部に複数の前記錠が設けられ、前記スライドファスナーの前記スライダーに設けられた引手を固定するように構成されていることを特徴とする。
従って、前記開閉手段としての前記スライドファスナーを構成する大部分は、汎用品である。
【０００９】
請求項３記載の考案にあっては、前記スライドファスナーの前記スライダーには、前記引手として、第一の引手と第二の引手が設けられており、前記収納体の前記スライドファスナーの閉塞側端部において、前記スライドファスナーの長さ方向に沿って前記スライドファスナーに対向する部位と前記スライドファスナーの側方の部位とに、前記キーに対応する前記錠がそれぞれ設けられていることを特徴とする。
従って、前記第一の引手と前記第二の引手を、略直交する２方向から前記錠で、それぞれ固定して完全な施錠状態とすることができる。
【００１０】
請求項４記載の考案にあっては、前記スライダーの前記引手には孔が設けられており、前記錠は、その突出部が、前記引手の前記孔に挿入されることで、施錠状態となり、前記突出部が前記引手の前記孔から外されることで、解錠状態となるように構成されていることを特徴とする。
従って、汎用品の引手は、通常、孔が設けられているので、前記引手には汎用品を用いることができる。また、施錠状態では、前記引手の前記孔に前記錠の前記突出部が挿入されることにより、前記引手が前記錠にしっかりと固定される。
【００１１】
請求項５記載の考案にあっては、請求項１記載の収納体の施錠構造を備えていることを特徴とする。
従って、請求項１記載の収納体の施錠構造の上記した作用を有する収納体となる。
【００１２】
請求項６記載の考案にあっては、前記収納体が、防刃性素材で形成されていることを特徴とする。
従って、前記収納体を刃物などで切り裂くのは困難である。
【００１３】
請求項７記載の考案にあっては、前記収納体が、防炎性素材で形成されていることを特徴とする。
従って、前記カバン類本体を火で燃やすのは困難である。
【考案の効果】
【００１４】
請求項１記載の収納体の施錠構造にあっては、前記キーとして、複数の異なる種類のものを備え、前記キーが全て用いられることにより、前記錠が施錠・解錠状態とされるように構成されていることから、異なる種類の前記キーの全てを用いることで、前記錠を完全な施錠状態にすることができるとともに、異なる種類の前記キーの全てが揃って、はじめて錠を完全な解錠状態とすることができる。
その結果、前記キーを、信用できる別々の人に預ければ、それらの人々の全員の同意がなければ前記錠を完全な解錠状態とすることができないので、よりセキュリティー性の高い収納体の施錠構造を提供することができる。
【００１５】
請求項２記載のカバン類の施錠構造にあっては、前記開閉手段は、単一のスライダーを有するスライドファスナーであり、前記スライドファスナーの閉塞側端部に複数の前記錠が設けられ、前記スライドファスナーの前記スライダーに設けられた引手を固定するように構成されていることから、複数のスライダーを有するスライドファスナーの複数のスライダーを固定して施錠・解錠する場合に比して操作性が向上する。また、前記開閉手段としての前記スライドファスナーを構成する大部分は、汎用品である。
その結果、別途、構成部品を特注することなく製作することができ、その分、製作コストを低減することができる。
【００１６】
請求項３記載のカバン類の施錠構造にあっては、前記スライドファスナーの前記スライダーには、前記引手として、第一の引手と第二の引手が設けられており、前記収納体の前記スライドファスナーの閉塞側端部において、前記スライドファスナーの長さ方向に沿って前記スライドファスナーに対向する部位と前記スライドファスナーの側方の部位とに、前記キーに対応する前記錠がそれぞれ設けられていることから、前記第一の引手と前記第二の引手を、略直交する２方向から前記錠で、それぞれ固定して完全な施錠状態とすることができる。
その結果、前記錠を無理なく配置することができるうえに、外観品質を向上させることができる。
【００１７】
請求項４記載のカバン類の施錠構造にあっては、前記スライダーの前記引手には孔が設けられており、前記錠は、その突出部が、前記引手の前記孔に挿入されることで、施錠状態となり、前記突出部が前記引手の前記孔から外されることで、解錠状態となるように構成されていることから、汎用品の引手は、通常、孔が設けられているので、前記引手には汎用品を用いることができる。また、施錠状態では、前記引手の前記孔に前記錠の前記突出部が挿入されることにより、前記引手が前記錠にしっかりと固定される。
その結果、前記引手に汎用品を用いることができるから、製作コストを低減することができ、施錠状態では、前記引手の前記孔と前記錠の前記突出部との嵌め合わせによるしっかりとした固定により、更に、よりセキュリティー性を高くすることができる。
【００１８】
請求項５記載の収納体にあっては、請求項１記載の収納体の施錠構造を備えていることから、請求項１記載の収納体の施錠構造の上記した作用を有する収納体を提供することができる。
その結果、請求項１記載の収納体の施錠構造の上記した効果を奏する収納体を提供することができる。
【００１９】
請求項６記載の収納体にあっては、前記収納体が、防刃性素材で形成されていることから、前記収納体を刃物などで切り裂くのは困難である。
その結果、無理やり、刃物などで前記収納体を切り裂き、中の貴重品などを盗み出すのを困難とすることができる。
【００２０】
請求項７記載の収納体にあっては、前記収納体が、防炎性素材で形成されていることから、前記収納体を火で燃やすのは困難である。
その結果、火事などにあっても、前記収納体の中の貴重品などが燃えてしまうおそれを大きく低減することができる。
【図面の簡単な説明】
【００２１】
【図１】図１は、本考案に係る実施の形態の収納体の施錠構造を備えた収納体としてのポーチにおいて、施錠状態を示す斜視図である。
【図２】図２は、本考案に係る実施の形態の収納体の施錠構造のスライドファスナーを構成するスライダー及び引手の部分を示す拡大図である。
【図３】図３は、本考案に係る実施の形態の収納体の施錠構造の部分を拡大して示す部分拡大図である。
【図４】図４は、本考案に係る実施の形態の収納体の施錠構造を備えた収納体としてのポーチにおいて、開口部を一部まで開いた状態を示す斜視図である。
【考案を実施するための形態】
【００２２】
以下、本考案に係る収納体の施錠構造及びこの施錠構造を備えた収納体を、実施の形態に基づき、図面を参照して説明する。
【００２３】
先ず、実施の形態の構成について説明する。
図１〜図４は、本考案に係る実施の形態の収納体の施錠構造を備えた収納体としてのポーチ１０の概略構成を示している。
【００２４】
この実施の形態の収納体の施錠構造は、図１〜図４に示したように、収納体としてのポーチ１０の開口部１１に設けられた開閉手段としてのスライドファスナー１２と、このスライドファスナー１２を固定しうる錠１３，１４と、錠１３，１４を施錠・解錠可能なキー１９，２０とから主に構成されている。
【００２５】
ここで、収納体としてのポーチ１０は、防刃性及び防炎性を有する特殊な素材で形成されている。
【００２６】
また、開閉手段としてのスライドファスナー１２には、エレメント１５，１５などの大部分の構成部品が汎用品から成るものが用いられている。
ここで、このスライドファスナー１２は、単一のスライダー１６を有するものである。
但し、このスライダー１６は、図２に示したように、引手取付部１６ａに、引手が通常１つであるものが多いが、第一の引手１７と第二の引手１８の２つが設けられている。
また、第一の引手１７には、円形状の孔１７ａが設けられ、第二の引手１８にも、孔１８ａが設けられている。
【００２７】
また、錠１３，１４は、スライドファスナー１２の閉塞端部に設けられている。
より具体的には、錠１３は、縁部をＲ加工した直方体であり、ポーチ１０のスライドファスナー１２の閉塞側端部において、スライドファスナー１２の長さ方向に沿ってスライドファスナー１２に対向する部位に矩形板状の取付板１３ｂの部分で固定して設けられている。
錠１４は、縁部をＲ加工した直方体であり、ポーチ１０のスライドファスナー１２の閉塞側端部において、スライドファスナー１２の側方の部位に矩形板状の取付板１４ｂの部分で固定され、スライドファスナー１２と直交するように設けられている。
【００２８】
さらに、錠１３は、第一の引手１７が挿入される挿入穴１３ａをスライドファスナー１２に対向する面側に有し、挿入穴１３ａ内部には図示省略の突出部が設けられており、第一の引手１７が嵌り込み、突出部が孔１７ａに挿入されることで、施錠状態となり、突出部が第一の引手１７の孔１７ａから外されることで、解錠状態となるように構成されている。なお、錠１３には、挿入穴１３ａが有る面と長さ方向において対向する面部に、図示省略の鍵穴が設けられている。
また、錠１４は、第二の引手１８が挿入される挿入穴１４ａをスライドファスナー１２の開放側端部の方向からスライドファスナー１２の側方にかけての面側に有し、挿入穴１４ａ内部には図示省略の突出部が設けられており、図３に示したように、第二の引手１８が回転して嵌り込み、突出部が孔１８ａに挿入されることで、施錠状態となり、突出部が第二の引手１８の孔１８ａから外されることで、解錠状態となるように構成されている。なお、錠１４には、スライドファスナー１２と対向する面と長さ方向において対向する面部に、図示省略の鍵穴が設けられている。
【００２９】
そして、錠１３を施錠・解錠するためのキー１９と、錠１４を施錠・解錠するためのキー２０とは、異なる種類のものである。
【００３０】
次に、この実施の形態の収納体の施錠構造を備えた収納体としてのポーチ１０の使用方法の例を簡単に説明する。
【００３１】
まず、印鑑や通帳などの貴重品をポーチ１０の中に入れ、スライドファスナー１２を閉め、且つ、キー１９，２０で錠１３，１４の両方を施錠する。
そして、キー１９，２０は、信用できる別々の人物に預ける。
ポーチ１０の所有者が、中の貴重品を必要とした際、これら信用できる人物の合意のもとキー１９，２０を持ち寄ることで、錠１３，１４を両方解錠し、ポーチ１０から中の貴重品を取り出すことができる。
【００３２】
なお、錠１３の上面には、キー１９，２０を保持しておくためのキー保持部１３ｃが設けられており、ポーチ１０を、セキュリティー無しで用いる際は、錠１３，１４をともに解錠状態としておき、このキー保持部１３ｃにキー１９，２０をホルダーで繋いでおくとよい。
また、ポーチ１０を、従来技術と同じセキュリティー状態で用いる際は、錠１３のみを解錠状態としておき、このキー保持部１３ｃにキー１９のみをホルダーで繋いでおくとよい。
【００３３】
次に、実施の形態の作用効果について説明する。
【００３４】
この実施の形態の収納体の施錠構造によれば、図１〜図４に示したように、２種類のキー１９，２０を備え、キー１９，２０の両方が用いられることにより、錠１３，１４が施錠・解錠状態とされるように構成されていることから、２種類のキー１９，２０の両方を用いることで、錠１３と錠１４の両方が施錠され、完全な施錠状態にすることができるとともに、２種類のキー１９，２０が揃って、はじめて錠１３と錠１４の両方が解錠され、完全な解錠状態とすることができる。
その結果、キー１９，２０を、信用できる別の人に預ければ、それらの人の両方の同意がなければ錠１３，１４を完全な解錠状態とすることができないので、よりセキュリティー性の高い収納体の施錠構造を提供することができる。
【００３５】
また、開閉手段は、単一のスライダー１６を有するスライドファスナー１２であり、スライドファスナー１２の閉塞側端部に２種類の錠１３，１４が設けられ、スライドファスナー１２のスライダー１６に設けられた引手としての第一の引手１７と第二の引手１８を固定するように構成されていることから、複数のスライダーを有するスライドファスナーの複数のスライダーを固定して施錠・解錠する場合に比して操作性が向上する。また、開閉手段としてのスライドファスナー１２を構成する大部分は、汎用品である。
その結果、別途、構成部品を特注することなく製作することができ、その分、製作コストを低減することができる。
【００３６】
さらに、スライドファスナー１２のスライダー１６には、引手として、第一の引手１７と第二の引手１８が設けられており、収納体としてのポーチ１０のスライドファスナー１２の閉塞側端部において、スライドファスナー１２の長さ方向に沿ってスライドファスナー１２に対向する部位とスライドファスナー１２の側方の部位とに、キー１９，２０に対応する錠１３，１４がそれぞれ設けられていることから、第一の引手１７と第二の引手１８を、略直交する２方向から錠１３と錠１４とで、それぞれ固定して完全な施錠状態とすることができる。
その結果、錠１３，１４を無理なく配置することができるうえに、外観品質を向上させることができる。
【００３７】
また、スライダー１２の引手としての第一の引手１７と第二の引手１８には孔１７ａ，１８ａがそれぞれ設けられており、錠１３，１４は、その突出部が、第一の引手１７と第二の引手１８の孔１７ａ，１８ａにそれぞれ挿入されることで、施錠状態となり、突出部が第一の引手１７と第二の引手１８の孔１７ａ，１８ａからそれぞれ外されることで、解錠状態となるように構成されている。
このため、汎用品の引手は、通常、孔が設けられているので、第一の引手１７及び第二の引手１８には汎用品を用いることができる。また、施錠状態では、第一の引手１７の孔１７ａ及び第二の引手１８の孔１８ａに錠１３，１４の突出部が挿入されることにより、第一の引手１７及び第二の引手１８が錠１３，１４にそれぞれしっかりと固定される。
その結果、第一の引手１７及び第二の引手１８に汎用品を用いることができるから、製作コストを低減することができ、施錠状態では、第一の引手１７及び第二の引手１８の孔１７ａ，１８ａと錠１３，１４のそれぞれの突出部との嵌め合わせによるしっかりとした固定により、更に、よりセキュリティー性を高くすることができる。
【００３８】
この実施の形態の収納体としてのポーチ１０によれば、この実施の形態の収納体の施錠構造を備えていることから、この実施の形態の収納体の施錠構造の上記した作用を有するので、上記した効果を奏する収納体を提供することができる。
【００３９】
ここで、収納体としてのポーチ１０は、防刃性及び防炎性を有する特殊な素材で形成されていることから、ポーチ１０を刃物などで切り裂くのは困難であるとともに、ポーチ１０を火で燃やすのは困難である。
その結果、無理やり、刃物などでポーチ１０を切り裂き、中の貴重品などを盗み出すのを困難とすることができるし、火事などにあっても、ポーチ１０の中の貴重品などが燃えてしまうおそれを大きく低減することができる。
【００４０】
以上、本考案に係る収納体の施錠構造及びこの施錠構造を備えた収納体の実施の形態について図面を参照して詳述してきたが、具体的な構成は、この実施の形態に限らず、本考案の要旨を逸脱しない程度の設計的変更は、本考案に含まれる。
【００４１】
例えば、上記した実施の形態では、収納体に、ポーチ１０を適用したが、これに限定されず、カバン、バック、スーツケースなどを適用して実施してもよい。
【００４２】
また、上記した実施の形態では、２種類のキー１９，２０を用いるものとしたが、これに限定されず、３種類以上のキーを用いるものとして実施してもよい。
【００４３】
また、上記した実施の形態では、２つ（複数）の錠１３，１４を用いたが、これに限定されず、例えば、複数の種類のキーを用いてはじめて開く、１つの複合型の錠を用いるなどして実施してもよい。
【００４４】
さらに、上記した実施の形態では、開閉手段が、スライドファスナー１２のものであるが、これに限定されず、例えば、ホック式のものなどに適用して実施してもよい。
【産業上の利用可能性】
【００４５】
本考案に係る収納体の施錠構造及び収納体は、高いセキュリティーが求められる現代社会の要請に応え、広く実施することができ、産業上利用可能性を有している。
【符号の説明】
【００４６】
１０    ポーチ（収納体）
１１    開口部
１２    スライドファスナー（開閉手段）
１３    錠
１３ａ  挿入穴
１３ｂ  取付板
１３ｃ  キー保持部
１４    錠
１４ａ  挿入穴
１４ｂ  取付板
１５    エレメント
１６    スライダー
１６ａ  引手取付部
１７    第一の引手（引手）
１７ａ  孔
１８    第二の引手（引手）
１８ａ  孔
１９    キー
２０    キー
【図１】
0003210946.tif 000003
【図２】
0003210946.tif 000004
【図３】
0003210946.tif 000005
【図４】
0003210946.tif 000006